(57)【要約】【課題】一般工具を用いてゴミを発生させることなく締付可能であり、かつ美観を損なうことのない盗難防止ボルトを提供する。【解決手段】本体おねじ部４が形成された軸部２と、この軸部２に連なる頭部３とを備えた盗難防止ボルトであって、頭部３は、袋状のめねじ部５を有するものとした。なお、頭部３は、その側面を軸部２方向に広がるように傾斜させたテーパ形状を有することが好ましい。【選択図】図１
2018048656.tif 000002
【特許請求の範囲】
【請求項１】
本体おねじ部が形成された軸部と、この軸部に連なる頭部とを備えた盗難防止ボルトであって、
前記頭部は、袋状のめねじ部を有することを特徴とする盗難防止ボルト。
【請求項２】
前記頭部は、その側面を軸部方向に広がるように傾斜させたテーパ形状を有することを特徴とする請求項１記載の盗難防止ボルト。
【請求項３】
前記めねじ部に螺合するおねじ部が形成された止めねじを、前記頭部に取り付けたことを特徴とする請求項１または２に記載の盗難防止ボルト。
【発明の詳細な説明】
【技術分野】
【０００１】
本発明は、盗難防止機能を備えたボルトに関するものである。
【背景技術】
【０００２】
自動車のナンバープレート等の盗難を防止するために、自動車へのナンバープレートの固定手段として例えば首切りボルトが採用される（特許文献１）。このような首切りボルトは汎用工具を用いて締付可能であり、また締付トルクがある一定の規定トルクを上回ると、細径に形成された箇所が破断して頭部が分離されることとなり、円錐状の部分のみが固定箇所に残る。この円錐状の部分には工具を係合させることが困難であるため、結果、ナンバープレート等の盗難を防ぐことがきる。
【０００３】
しかしながら、このような首切りボルトは、破断後の表面が凹凸となることから、ナンバープレートの固定に用いた場合には正面からの見栄えが悪く、キャップ等を被せて円錐状の部分を被覆する必要があった。さらに、破断時に金属カス等のゴミが発生する点も問題とされている。
【先行技術文献】
【特許文献】
【０００４】
【特許文献１】特公平７−４５０８２号公報
【発明の概要】
【発明が解決しようとする課題】
【０００５】
本発明の目的は前記した従来の問題点を解決し、一般工具を用いてゴミを発生させることなく締付可能であり、かつ美観を損なうことのない盗難防止ボルトを提供することである。
【課題を解決するための手段】
【０００６】
上記課題を解決するためになされた本発明は、本体おねじ部が形成された軸部と、この軸部に連なる頭部とを備えた盗難防止ボルトであって、前記頭部は、袋状のめねじ部を有することを特徴とするものである。
【０００７】
請求項２記載の発明は、請求項１記載の盗難防止ボルトであって、前記頭部は、その側面を軸部方向に広がるように傾斜させたテーパ形状を有することを特徴とするものである。
【０００８】
請求項３記載の発明は、請求項１または２に記載の盗難防止ボルトであって、前記めねじ部に螺合するおねじ部が形成された止めねじを、前記頭部に取り付けたことを特徴とするものである。
【発明の効果】
【０００９】
本発明に係る盗難防止ボルトは、その頭部に袋状のめねじ部を備えるものとしている。これにより、先ずはめねじ部に対応したおねじ部を有する一般工具を袋状のめねじ部に完全に螺合させる。この状態でさらに一般工具による締付を行うことで、そのトルクがボルトに伝達され、ボルトが相手部材にねじ込まれていく。そして締付完了後には、一般工具を逆方向に回転させることでめねじ部から一般工具を取り外すことができる。したがって、この状態では一般工具によるボルトの取り外しが困難であるため盗難防止の機能を奏するものとなり、さらにボルトの締付という単純作業のみで締結作業が完了することから、ゴミを発生させることもなく、また締付後の美観が損なわれることもない。
【図面の簡単な説明】
【００１０】
【図１】実施形態１を示す図である。
【図２】実施形態１を示す分解図である。
【図３】実施形態２を示す分解図である。
【図４】実施形態２を示す図である。
【図５】実施形態３を示す図である。
【図６】切欠き部を示す図である。
【発明を実施するための形態】
【００１１】
以下に本発明の好ましい実施形態を示す。
（実施形態１）
図１において、金属製であるボルト本体１は、本体おねじ部４が形成された軸部２と、この軸部２に連なる頭部３とを備えている。そしてこの頭部３には、軸部２と同軸となるように形成された袋状のめねじ部５を備えるものとした。本実施形態では、本体おねじ部４の呼び径をＭ６とし、頭部３に形成しためねじ部５の呼び径をＭ５とすることで、めねじ部５に螺合する一般工具の緩めトルクが、ボルト本体１の緩めトルクよりも小さくなる関係性を成立させるものとしている。しかしながら、呼び径は本実施形態のものに限定されず、適切な摩擦係数及び寸法関係としておくことにより、前記の緩みトルクの関係性が成立するものであれば足りる。
【００１２】
図２に示すように、ボルト本体１を締付することによって、ナンバープレート１０を挟み込むようにしてナット１２を備えた相手部材１１への締結を行ものとするが、本実施形態のように、めねじ部５を頭部３に軸部２と同軸となるよう形成した上で、先ずはめねじ部５に対応した呼び径Ｍ５のおねじ部を有する図示しない一般工具を、袋状のめねじ部５に完全に螺合させる。この状態でさらに一般工具による締付を行うことで、そのトルクがボルト本体１に伝達され、ボルト本体１がナンバープレート１０を挟み込んだ状態で相手部材１１のナット１２に固定される。そして締付完了後には、一般工具を逆方向に回転させることでめねじ部５から一般工具を取り外すことができる。したがって、この状態では一般工具によるボルト本体１の取り外しが困難であるため盗難防止の機能を奏するものとなり、さらにボルト本体１の締付という単純作業のみで締結作業が完了することから、ゴミを発生させることもなく、また締付後の美観が損なわれることもない。
【００１３】
また本実施形態では、頭部３は、その側面を軸部２方向に広がるように傾斜させたテーパ形状を有するものとしている。頭部３をこのような形状とすることで、締結完了後にはペンチ等により頭部３を挟み込んでボルト本体１を緩めることができないものとなり、これにより盗難防止機能を高めるものとしている。なお、頭部３の形状はこれに限定されるものではなく、円柱形状や六角形状の頭部であっても良く、または後述する実施形態３のように、その側面を軸部２方向に狭まるように傾斜させた形状であっても良い。
【００１４】
（実施形態２）
図３及び図４に示すように、実施形態１と同様の構造を有するボルト本体１に対し、袋状のめねじ部５に螺合する呼び径Ｍ５のおねじ部７が形成された六角穴付き止めねじ６を、頭部３に取り付けるものとした。この実施形態でも、本体おねじ部４の呼び径をＭ６とし、頭部３に形成しためねじ部５の呼び径をＭ５とすることで、めねじ部５に螺合する六角穴付き止めねじ６の緩めトルクが、ボルト本体１の緩めトルクよりも小さくなる関係性を成立させるものとしている。図４の状態において、先ずは六角穴付き止めねじ６の穴部８に、図示しない六角レンチを挿入する。この状態で六角レンチによる締付を行うことで、そのトルクがボルト本体１に伝達され、ボルト本体１がナンバープレート１０を挟み込んだ状態で相手部材１１のナット１２に固定される。そして締付完了後には、六角レンチを取り外すものとする。このような構造を採用すれば、実施形態１と比較して、一般工具をめねじ部５に螺合させる作業と、締結後にめねじ部５から離脱させる作業とを省略できることから、作業性がより高いものとなる。さらに、実施形態１と比較して、正面からは袋状のめねじ部５が封鎖されているように視認できるため、意匠性が高いものとなる。
【００１５】
また、実施形態２では、ボルト本体１と六角穴付き止めねじ６とを適切な摩擦係数及び寸法関係としておくことにより、六角穴付き止めねじ６の緩めトルクがボルト本体１の緩めトルクよりも小さくなる関係性が成立するものとしているため、図４の状態で六角レンチを用いてボルト本体１の取り外しを試みても、先に六角穴付き止めねじ６がボルト本体１から離脱することとなり、図１と同じ状態となる。したがって、図１の状態では一般工具によるボルト本体１の取り外しが困難であるため盗難防止の機能を奏するものとなる。
【００１６】
なお、実施形態１と同様に、頭部３は、その側面を軸部２方向に広がるように傾斜させたテーパ形状を有するものとしているが、これに限定されるものではない。さらに、めねじ部５に螺合するものであれば六角穴付き止めねじ６に限定されず、例えば頭部に十文字穴が形成された止めねじであっても良く、すなわち締付トルクをボルト本体１に伝達できるものであれば足りる。
【００１７】
（実施形態３）
図５に示すように、ボルト本体１と六角穴付き止めねじ６とを実施形態２と同様に取り付け、さらに頭部３の側面を軸部２方向に狭まるように傾斜させた形状としている。ここで、頭部３の外周にはワッシャ９を設けるものとした。このようなワッシャ９を配設することで、頭部３はペンチ等によって挟むことができないものとなるため、ボルト本体１が緩められることをより確実に防ぐことができる。さらに、ワッシャ９を介在させることで、締付時にナンバープレート１０に傷がつくことを防止できるものとなる。
【００１８】
なお、上述した実施形態１〜３の全てにおいて、図６に示すように、ボルト本体１の本体おねじ部４に切欠き部２０を斜めに形成するものとして、ボルト本体１の緩みトルクを大きくし、一般工具の緩みトルクまたは六角穴付き止めねじ６の緩めトルクが、ボルト本体１の緩めトルクよりも小さくなる関係性をより確実に成立させるものとすることがきる。
【符号の説明】
【００１９】
１  ボルト本体
２  軸部
３  頭部
４  本体おねじ部
５  めねじ部
６  六角穴付き止めねじ
７  おねじ部
８  穴部
９  ワッシャ
１０  ナンバープレート
１１  相手部材
１２  ナット
２０  切欠き部
【図１】
2018048656.tif 000003
【図２】
2018048656.tif 000004
【図３】
2018048656.tif 000005
【図４】
2018048656.tif 000006
【図５】
2018048656.tif 000007
【図６】
2018048656.tif 000008